(57)【要約】      （修正有）【課題】シャワー形状を綺麗にすることができる散水具を提供する。【解決手段】散水ヘッド３３の前面の散水板６１に沿った前面通路１５２の幅寸法１５３を１ｍｍ〜５ｍｍに設定する。供給水を散水板６１側に供給する横通路１１１の幅寸法１２１を０．４ｍｍ〜４ｍｍに設定し、その長さ寸法１２２を８ｍｍ以上に設定する。供給水が散水板６１の外周部１６１から中心１６２方向へ向けて流れるように構成する。横通路１１１の延長上に最外小孔１３１の１／４〜１／３を配置する。【選択図】図３
0003151589.tif 000002
【実用新案登録請求の範囲】
【請求項１】
散水ヘッドに供給された供給水を、前記散水ヘッドの前面に設けられた複数の小孔から散水する散水具において、
前記前面に沿って形成された前記供給水の前面通路を所定値より幅狭に設定したことを特徴とする散水具。
【請求項２】
散水ヘッドに供給された供給水を、前記散水ヘッドの前面に設けられた複数の小孔から散水する散水具において、
前記供給水を前記前面側に供給する横通路を所定値より幅狭に設定したことを特徴とする散水具。
【請求項３】
前記供給水を前記前面側に供給する横通路を所定値より幅狭に設定したことを特徴とする請求項１記載の散水具。
【請求項４】
前記横通路の長さ寸法を８ｍｍ以上に設定したことを特徴とする請求項２又は３記載の散水具。
【請求項５】
前記横通路の幅寸法を０．４ｍｍ以上３ｍｍ以下の範囲内に設定したことを特徴とする請求項２、３又は４記載の散水具。
【請求項６】
散水ヘッドに供給された供給水を、前記散水ヘッドの前面に設けられた複数の小孔から散水する散水具において、
前記前面の外周部から中心方向へ向けて前記供給水を供給するように構成したことを特徴とする散水具。
【請求項７】
散水ヘッドに供給された供給水を、前記散水ヘッドの端面に設けられた複数の小孔から散水する散水具において、
前記供給水を前記端面側へ案内する案内路を前記ヘッドの内周面に沿って設け、当該案内路の延長上に少なくとも前記小孔の一部を設けたことを特徴とする散水具。
【請求項８】
前記各小孔のうち外側に配置された小孔を前記案内路の延長上に設けたことを特徴とする請求項７記載の散水具。
【請求項９】
散水ヘッドに供給された供給水を、前記散水ヘッドの端面に設けられた複数の小孔から散水する散水具において、
前記供給水を前記端面側へ案内する案内路を前記ヘッドの内周面に沿って設け、当該案内路の延長上の近傍に前記小孔の一部を設けたことを特徴とする散水具。
【請求項１０】
前記各小孔のうち外側に配置された小孔を前記案内路の延長上の近傍に設けたことを特徴とする請求項９記載の散水具。
【請求項１１】
前記案内路の長さ寸法を８ｍｍ以上に設定したことを特徴とする請求項７から１０にいずれか記載の散水具。
【請求項１２】
前記案内路の幅寸法を０．４ｍｍ以上３ｍｍ以下の範囲内に設定したことを特徴とする請求項７から１１にいずれか記載の散水具。
【請求項１３】
散水ヘッドに供給された供給水を、前記散水ヘッドの前面に設けられた複数の小孔から散水する散水具において、
前記供給水を前記前面側に供給する供給路を難逆流構造としたことを特徴とする散水具。
【考案の詳細な説明】
【技術分野】
【０００１】
本考案は、植木や草花への散水や洗車時などに用いられる散水具に関する。
【背景技術】
【０００２】
従来、植木や草花へ散水したり洗車をする際には、散水具が用いられていた。
【０００３】
このガン本体に「設けられた散水ヘッドの前面には、複数の小孔が設けられており、当該散水ヘッドに供給された供給水を各小孔から噴出できるように構成されている。
【０００４】
これにより、前記供給水をシャワー状に噴出できるように構成されている。
【考案の概要】
【考案が解決しようとする課題】
【０００５】
しかしながら、このような従来の散水具にあっては、散水されるシャワー形状が綺麗なものでは無かった。
【０００６】
特に、供給水の水圧が下がった場合には、この問題が顕著に現れてしまう。
【０００７】
本考案は、このような従来の課題に鑑みてなされたものであり、シャワー形状を綺麗にすることができる散水具を提供することを目的とするものである。
【課題を解決するための手段】
【０００８】
前記課題を解決するために本考案の請求項１の散水具にあっては、散水ヘッドに供給された供給水を、前記散水ヘッドの前面に設けられた複数の小孔から散水する散水具において、前記前面に沿って形成された前記供給水の前面通路を所定値より幅狭に設定した。
【０００９】
また、本考案の請求項２の散水具にあっては、散水ヘッドに供給された供給水を、前記散水ヘッドの前面に設けられた複数の小孔から散水する散水具において、前記供給水を前記前面側に供給する横通路を所定値より幅狭に設定した。
【００１０】
さらに、請求項３の散水具においては、前記供給水を前記前面側に供給する横通路を所定値より幅狭に設定した。
【００１１】
加えて、請求項４の散水具では、前記横通路の長さ寸法を８ｍｍ以上に設定した。
【００１２】
また、請求項５の散水具では、前記横通路の幅寸法を０．４ｍｍ以上３ｍｍ以下の範囲内に設定した。
【００１３】
また、本考案の請求項６の散水具にあっては、散水ヘッドに供給された供給水を、前記散水ヘッドの前面に設けられた複数の小孔から散水する散水具において、前記前面の外周部から中心方向へ向けて前記供給水を供給するように構成した。
【００１４】
また、本考案の請求項７の散水具にあっては、散水ヘッドに供給された供給水を、前記散水ヘッドの端面に設けられた複数の小孔から散水する散水具において、前記供給水を前記端面側へ案内する案内路を前記ヘッドの内周面に沿って設け、当該案内路の延長上に少なくとも前記小孔の一部を設けた。
【００１５】
さらに、請求項８の散水具では、前記各小孔のうち外側に配置された小孔を前記案内路の延長上に設けた。
【００１６】
また、本考案の請求項９の散水具にあっては、散水ヘッドに供給された供給水を、前記散水ヘッドの端面に設けられた複数の小孔から散水する散水具において、前記供給水を前記端面側へ案内する案内路を前記ヘッドの内周面に沿って設け、当該案内路の延長上の近傍に前記小孔の一部を設けた。
【００１７】
さらに、請求項１０の散水具では、前記各小孔のうち外側に配置された小孔を前記案内路の延長上の近傍に設けた。
【００１８】
加えて、請求項１１の散水具では、前記案内路の長さ寸法を８ｍｍ以上に設定した。
【００１９】
また、請求項１２の散水具では、前記案内路の幅寸法を０．４ｍｍ以上３ｍｍ以下の範囲内に設定した。
【００２０】
また、本考案の請求項１３の散水具にあっては、散水ヘッドに供給された供給水を、前記散水ヘッドの前面に設けられた複数の小孔から散水する散水具において、前記供給水を前記前面側に供給する供給路を難逆流構造とした。
【００２１】
すなわち、前述した総ての散水具にあっては、供給された供給水を、小孔が設けられた面に対して垂直に噴出することができる。
【００２２】
また、前記横通路又は前記案内路等を８ｍｍ以上に設定し、あるいいは前記横通路又は前記案内路の幅寸法を０．４ｍｍ以上３ｍｍ以下の範囲内に設定することで、前記供給水を、小孔が設けられた面に対して、より垂直に噴出することができる。
【考案の効果】
【００２３】
以上説明したように、本考案の請求項１から請求項１３の散水具にあっては、供給された供給水を、小孔が設けられた面に対して垂直に噴出することができる。
【００２４】
これにより、散水されるシャワー形状を綺麗なもとすることができる。
【００２５】
また、供給水の水圧が下がった場合であっても、綺麗なシャワー形状を維持することができる。
【００２６】
そして、前記横通路又は前記案内路等を８ｍｍ以上に設定し、あるいいは前記横通路又は前記案内路の幅寸法を０．４ｍｍ以上３ｍｍ以下の範囲内に設定することで、より綺麗なシャワー形状を形成することができる。
【図面の簡単な説明】
【００２７】
【図１】本考案の一実施の形態を示す図である。
【図２】図１のＡ矢視図である。
【図３】同実施の形態の要部を示す断面図である。
【図４】同実施の形態の動作を示す説明図である。
【図５】他の実施の形態を示す図ある。
【図６】図５のＢ矢視図である。
【考案を実施するための形態】
【００２８】
以下、本考案の一実施の形態を図に従って説明する。
【００２９】
図１から図４は、本実施の形態にかかる散水具としてのアクアガン１を示す図であり、該アクアガン１は、植木や草花へ散水したり洗車をする際に用いられるものである。
【００３０】
このアクアガン１のガン本体１１には、握持用のハンドル１２が設けられており、該ハンドル１２の上端部には、先端方向へ向けて延出した延出部１３が一体形成されている。
【００３１】
前記ハンドル１２の基端部には、給水用のホースが接続されるホース接続部２１が設けられており、該ホース接続部２１に接続されたホースから供給された水道水が、当該ハンドル１２内に形成された流路を通って前記延出部１３内に供給されるように構成されている。
【００３２】
前記延出部１３の先端部には、図４に示したように、円筒状のシリンダ部３１と、該シリンダ部３１の外周部に設けられた取付部３２とが一体形成されており、前記シリンダ部３１は、前記取付部３２より延出するように構成されている。該取付部３２には、散水ヘッド３３がねじ込みによって取り付けられており、そのねじ込み量によって、その取付位置を長さ方向に変位できる構成されている。
【００３３】
また、図１に示したように、前記ハンドル１２の背面部には、支持柱４１が立設されており、該支持柱４１の先端には、レバー４２が回動自在に支持されている。これにより、このレバー４２を前記ハンドル１２と共に握持して握ることによって前記レバー４２を操作できるように構成されている。
【００３４】
前記延出部１３内には、前記ハンドル１２から供給された水道水の前記シリンダ部３１内への供給量を制御する図外のピストンが収容されており、該ピストンは、長さ方向へ移動自在に保持されている。このピストンの後端部は、前記延出部１３より外側へ延出しており、図１に示したように、この延出部分に前記レバー４２の上端部が連結されている。
【００３５】
これにより、このレバー４２を前記ハンドル１２と共に握持して操作することによって、当該レバー４２を前記支持柱４１による支持点５１を中心に傾倒し、前記ピストンを後退できるように構成されており、該ピストンを後退した際に前記水道水が前記シリンダ部３１に供給されるように構成されている。
【００３６】
前記散水ヘッド３３の先端部は、図３に示したように、前方開口状の円筒状に形成されており、この先端部には、散水板６１が固定リング６２によって固定され、該固定リング６２はカバー６３で覆われている。前記散水板６１の中央には、図２及び図３に示すように、円形穴６４が形成されており、該円形穴６４より外側には、複数の小孔６５，・・・が設けられている。
【００３７】
前記散水ヘッド３３の内部には、図３に示したように、通路形成部材７１が収容されており、該通路形成部材７１は、前側容器部７２と後側容器部７３とによって形成されている。
【００３８】
この通路形成部材７１は、ドーナッツ状に形成されており、中央部に中央穴８１が形成されている。この通路形成部材７１の前記前側容器部７２の端面には、前記中央穴８１に連通した円筒部８２が突設されており、該円筒部８２は、前記散水板６１の前記円形穴６４に挿入されている。
【００３９】
前記中央穴８１には、図４に示したように、前記シリンダ部３１の先端部が挿入されるように構成されており、前記散水ヘッド３３のねじ込み量に応じて、前記通路形成部材７１への前記シリンダ部３１の挿入量が可変するように構成されている。このシリンダ部３１の先端には、前記円柱部９１が設けられており、該円柱部９１は、前記円筒部８２に挿入できるように構成されている。
【００４０】
前記シリンダ部３１の周面には、矩形穴１０１，１０１が開設されており、当該シリンダ部３１内に供給された水道水を前記通路形成部材７１の前記中央穴８１を介して、前記円筒部８２から噴出できるように構成されている。
【００４１】
前記通路形成部材７１の前記前側容器部７２の周縁には、側方へ向けて延出する図外のリブが間隔をおいて複数箇所に設けられており、これらのリブによって当該通路形成部材７１の外周面と前記散水ヘッド３３の内周面との間には、図３に示したように、案内路を構成する横通路１１１が前記散水ヘッド３３の内周面に沿って形成されている。
【００４２】
この横通路１１１は、所定値より幅狭に設定されており、当該横通路１１１の先端部での幅寸法１２１は、０．４ｍｍ〜４ｍｍの間に設定されている。また、この横通路１１１の長さ寸法１２２は、８ｍｍ以上となるように設定されている。
【００４３】
この横通路１１１の延長上には、少なくとも前記小孔６５，・・・の一部が設けられており、本実施の形態では、前記各小孔６５，・・・のうち最も外側に位置した最外小孔１３１，・・・の１／４〜１／３が前記横通路１１１の延長上に位置している（図３の内面側延長線１３２参照）。
【００４４】
ここで、前記横通路１１１の延長上に存在する前記小孔６５，・・・としては、必ずしも前記各小孔６５，・・・のうち最も外側に位置した前記最外小孔１３１，・・・で無くとも良い。
【００４５】
また、案内路である前記横通路１１１の延長上に少なくとも前記小孔６５，・・・の一部を設ける構造としては、単一の小孔６５（最外小孔１３１）の一部が部分的に前記横通路１１１の延長上に存在する他、複数有るうちのいずれかの小孔６５，・・・が全体的に前記横通路１１１の延長上に存在することも意味する。
【００４６】
さらに、前記小孔６５，・・・は、必ずしも前記横通路１１１の延長上に存在しなくても良く、案内路である前記横通路１１１の延長上の近傍にあれば良い。
【００４７】
前記通路形成部材７１の裏側には、図３に示したように、縦通路１４１が設けられており、前記散水ヘッド３３のねじ込み量を調整して前記シリンダ部３１の前記矩形穴１０１，１０１を前記縦通路１４１に連通させることによって、前記シリンダ部３１から当該散水ヘッド３３内に前記水道水を供給できるように構成されている（図４参照）。
【００４８】
一方、前記通路形成部材７１の前記前側容器部７２と前記散水板６１とは、離間して配置されており、前記散水ヘッド３３の端面である前面１５１を構成する前記散水板６１と前記通路形成部材７１との間には、前面通路１５２が形成されている。この前面通路１５２は、所定値より幅狭に設定されており、前記通路形成部材７１の一般部の端面から前記散水板６１までの幅寸法１５３は、１ｍｍ〜５ｍｍの間に設定されている。
【００４９】
これにより、前記縦通路１４１及び前記横通路１１１から供給された供給水を、前記前面通路１５２によって前記散水板６１に沿って供給できるように構成されており、その供給方向は、前記前面１５１を構成する前記散水板６１の外周部１６１から中心１６２方向へ向かうように設定されている。
【００５０】
そして、前記通路形成部材７１の前記後側容器部７３の角部１７１は、丸められており、断面円弧状に形成されている。
【００５１】
これにより、当該散水ヘッド３３に供給された供給水の前記縦通路１４１から前記横通路１１１への流れを滑らかにし、当該供給水を幅狭の前記横通路１１１及び幅狭の前記前面通路１５２を介して、前記各小孔６５，・・・からシャワー状に散水できるように構成されており、前記縦通路１４１と前記横通路１１１と前記前面通路１５２によって構成された供給路１８１は、前記前面１５１側に供給した供給水が逆流し難い難逆流構造１８２を構成している。
【００５２】
以上の構成にかかる本実施の形態において、前記散水ヘッド３３の前面１５１を構成する散水板６１に沿って形成された前記前面通路１５２を所定値より幅狭、具体的には、前面通路１５２の幅寸法１５３を、１ｍｍ〜５ｍｍに設定することによって、当該散水ヘッド３３に供給された供給水を前記小孔６５，・・・から勢い良く、小孔６５，・・・が設けられた面に対して垂直、すなわち前記散水板６１に対して垂直に噴出することができる。
【００５３】
このため、散水されるシャワー形状を綺麗なもとすることができ、供給水の水圧が下がった場合であっても、この綺麗なシャワー形状を維持することができる。
【００５４】
また、前記供給水を前面１５１を構成する散水板６１側に供給する前記横通路１１１を所定値より幅狭、具体的には、前記横通路１１１の先端部での幅寸法１２１を、０．４ｍｍ〜４ｍｍの間に設定することによっても、当該散水ヘッド３３に供給された供給水を前記小孔６５，・・・から勢い良く、小孔６５，・・・が設けられた面に対して垂直、すなわち前記散水板６１に対して垂直に噴出することができる。
【００５５】
これによっても、散水されるシャワー形状を綺麗なもとすることができ、供給水の水圧が下がった場合であっても、この綺麗なシャワー形状を維持することができる。
【００５６】
そして、前記横通路１１１の長さ寸法１２２を８ｍｍ以上に設定したので、より綺麗なシャワー形状を形成することができる。
【００５７】
さらに、前記供給水が前面１５１を構成する散水板６１の外周部１６１から中心１６２方向へ向けて流れるように構成したので、これによっても、当該散水ヘッド３３に供給された供給水を前記小孔６５，・・・から勢い良く、小孔６５，・・・が設けられた面に対して垂直、すなわち前記散水板６１に対して垂直に噴出することができる。
【００５８】
これにより、散水されるシャワー形状をさらに綺麗なもとすることができ、供給水の水圧が下がった場合であっても、この綺麗なシャワー形状を維持することができる。
【００５９】
また、前記供給水を前記端面である前記前面１５１側へ案内する案内路としての前記横通路１１１を前記散水ヘッド３３の内周面に沿って形成するとともに、当該横通路１１１の延長上に前記小孔６５，・・・の一部、具体的には、前記各小孔６５，・・・のうち最も外側に位置した最外小孔１３１，・・・の１／４〜１／３を前記横通路１１１の延長上に配置したので、前記横通路１１１を通流する前記供給水を前記延長上の前記最外小孔１３１，・・・から直接噴出することができる。
【００６０】
これによっても、当該散水ヘッド３３に供給された供給水を前記最外小孔１３１，・・・から勢い良く、最外小孔１３１，・・・が設けられた面に対して垂直、すなわち前記散水板６１に対して垂直に噴出することができる。
【００６１】
これにより、シャワー形状の外側を綺麗にすることができるので、見栄えが向上する。よって、散水されるシャワー形状を綺麗なもとすることができ、供給水の水圧が下がった場合であっても、この綺麗なシャワー形状を維持することができる。
【００６２】
このとき、案内路としての前記横通路１１１の延長上の近傍に前記小孔６５，・・・の一部を設けても、この小孔６５，・・・あるいは最外小孔１３１，・・・から供給水を勢い良く、最外小孔１３１，・・・が設けられた面に対して垂直、すなわち前記散水板６１に対して垂直に噴出することができるため、散水されるシャワー形状を綺麗なもとすることができ、供給水の水圧が下がった場合であっても、この綺麗なシャワー形状を維持することができる。
【００６３】
このとき、前記延長上の近傍に設けられた小孔６５，・・・を、各小孔６５，・・・のうち最も外側に位置した最外小孔１３１，・・・とすれば、シャワー形状の外側を綺麗にすることができ、見栄えが向上する。
【００６４】
そして、前記供給水を前記前面１５１を構成する前記散水板６１側に供給する供給路１８１を難逆流構造１８２とすることによって、前記供給水の逆流を防止できるため、供給水が逆流する場合と比較して、前記供給水を前記小孔６５，・・・から勢い良く、小孔６５，・・・が設けられた面に対して垂直、すなわち前記散水板６１に対して垂直に噴出することができる。
【００６５】
これによっても、散水されるシャワー形状を綺麗なもとすることができ、供給水の水圧が下がった場合であっても、この綺麗なシャワー形状を維持することができる。
【００６６】
なお、本実施の形態では、前記ハンドル１２の背面部にレバー４２が支持されたアクアガン１を示したが、この形状に限定されるものではない。
【００６７】
例えば、図５及び図６に示すように、ハンドル１２の前面部にレバー４２が支持されたアクアガン１に適用することもできる。
【符号の説明】
【００６８】
１    アクアガン
３３    散水ヘッド
６５    小孔
１１１    横通路
１２１    幅寸法
１２２    長さ寸法
１３１    最外小孔
１３２    内面側延長線
１５１    前面
１５２    前面通路
１５３    幅寸法
１６１    外周部
１６２    中心
１８１    供給路
【図１】
0003151589.tif 000003
【図２】
0003151589.tif 000004
【図３】
0003151589.tif 000005
【図４】
0003151589.tif 000006
【図５】
0003151589.tif 000007
【図６】
0003151589.tif 000008
【手続補正書】
【提出日】平成21年4月22日(2009.4.22)
【手続補正１】
【補正対象書類名】明細書
【補正対象項目名】０００８
【補正方法】変更
【補正の内容】
【０００８】
前記課題を解決するために本考案の請求項１の散水具にあっては、散水ヘッドに供給された供給水を、前記散水ヘッドの前面に設けられた複数の小孔から散水する散水具において、前記前面に沿って形成された前記供給水の前面通路の幅寸法を１ｍｍ以上５ｍｍ以下の範囲内に設定した。
【手続補正２】
【補正対象書類名】明細書
【補正対象項目名】０００９
【補正方法】変更
【補正の内容】
【０００９】
また、本考案の請求項２の散水具にあっては、散水ヘッドに供給された供給水を、前記散水ヘッドの前面に設けられた複数の小孔から散水する散水具において、前記供給水を前記前面側に供給する横通路の先端部での幅寸法を０．４ｍｍ以上４ｍｍ以下の範囲内に設定した。
【手続補正３】
【補正対象書類名】明細書
【補正対象項目名】００１０
【補正方法】変更
【補正の内容】
【００１０】
さらに、請求項３の散水具においては、前記供給水を前記前面側に供給する横通路の先端部での幅寸法を０．４ｍｍ以上４ｍｍ以下の範囲内に設定した。
【手続補正４】
【補正対象書類名】明細書
【補正対象項目名】００２０
【補正方法】削除
【補正の内容】
【手続補正５】
【補正対象書類名】実用新案登録請求の範囲
【補正対象項目名】全文
【補正方法】変更
【補正の内容】
【実用新案登録請求の範囲】
【請求項１】
散水ヘッドに供給された供給水を、前記散水ヘッドの前面に設けられた複数の小孔から散水する散水具において、
前記前面に沿って形成された前記供給水の前面通路の幅寸法を１ｍｍ以上５ｍｍ以下の範囲内に設定したことを特徴とする散水具。
【請求項２】
散水ヘッドに供給された供給水を、前記散水ヘッドの前面に設けられた複数の小孔から散水する散水具において、
前記供給水を前記前面側に供給する横通路の先端部での幅寸法を０．４ｍｍ以上４ｍｍ以下の範囲内に設定したことを特徴とする散水具。
【請求項３】
前記供給水を前記前面側に供給する横通路の先端部での幅寸法を０．４ｍｍ以上４ｍｍ以下の範囲内に設定したことを特徴とする請求項１記載の散水具。
【請求項４】
前記横通路の長さ寸法を８ｍｍ以上に設定したことを特徴とする請求項２又は３記載の散水具。
【請求項５】
前記横通路の幅寸法を０．４ｍｍ以上３ｍｍ以下の範囲内に設定したことを特徴とする請求項２、３又は４記載の散水具。
【請求項６】
散水ヘッドに供給された供給水を、前記散水ヘッドの前面に設けられた複数の小孔から散水する散水具において、
前記前面の外周部から中心方向へ向けて前記供給水を供給するように構成したことを特徴とする散水具。
【請求項７】
散水ヘッドに供給された供給水を、前記散水ヘッドの端面に設けられた複数の小孔から散水する散水具において、
前記供給水を前記端面側へ案内する案内路を前記ヘッドの内周面に沿って設け、当該案内路の延長上に少なくとも前記小孔の一部を設けたことを特徴とする散水具。
【請求項８】
前記各小孔のうち外側に配置された小孔を前記案内路の延長上に設けたことを特徴とする請求項７記載の散水具。
【請求項９】
散水ヘッドに供給された供給水を、前記散水ヘッドの端面に設けられた複数の小孔から散水する散水具において、
前記供給水を前記端面側へ案内する案内路を前記ヘッドの内周面に沿って設け、当該案内路の延長上の近傍に前記小孔の一部を設けたことを特徴とする散水具。
【請求項１０】
前記各小孔のうち外側に配置された小孔を前記案内路の延長上の近傍に設けたことを特徴とする請求項９記載の散水具。
【請求項１１】
前記案内路の長さ寸法を８ｍｍ以上に設定したことを特徴とする請求項７から１０にいずれか記載の散水具。
【請求項１２】
前記案内路の幅寸法を０．４ｍｍ以上３ｍｍ以下の範囲内に設定したことを特徴とする請求項７から１１にいずれか記載の散水具。